(57)【要約】【課題】蓋体の開閉を容易に行える蓋付き容器を提供する。【解決手段】底壁部１およびこの底壁部１の周縁から上方に向けて連設された側壁部２を有する本体３と、この本体３の上端部にヒンジ部４を介して連設された蓋体５とを備え、前記本体３の上端部周縁にフランジ部分６が設けられているとともに、このフランジ部分６に係止する係止部分８が前記蓋体５に設けられており、前記本体３の側壁部２を内側に押さえて弾性変形させることにより、前記フランジ部分６に対する係止部分８の係止が解除されるように構成してある。【選択図】      図１
2004276960.tif 000002
【特許請求の範囲】
【請求項１】
底壁部およびこの底壁部の周縁から上方に向けて連設された側壁部を有する本体と、この本体の上端部にヒンジ部を介して連設された蓋体とを備え、前記本体の上端部周縁にフランジ部分が設けられているとともに、このフランジ部分に係止する係止部分が前記蓋体に設けられており、前記本体の側壁部を内側に押さえて弾性変形させることにより、前記フランジ部分に対する係止部分の係止が解除されるように構成してあることを特徴とする蓋付き容器。
【請求項２】
前記ヒンジ部が前記蓋体を前記本体の上端から上方へと持ち上げる方向に付勢するように構成してある請求項１に記載の蓋付き容器。
【請求項３】
前記本体および蓋体がそれぞれ、平面視ほぼ楕円形状をしていて、かつ、前後方向の長さが左右方向の長さよりも長くなるように形成されており、前記係止部分が蓋体の前部に設けられ、前記ヒンジ部が蓋体の後部に連設されている請求項１または２に記載の蓋付き容器。
【発明の詳細な説明】
【０００１】
【発明の属する技術分野】
本発明は、例えば、綿球やガーゼなどを収容するために用いられる蓋付き容器に関する。
【０００２】
【従来の技術】
例えば医療現場で用いられる綿球やガーゼなどを収容する従来の容器として、底壁部およびこの底壁部の周縁から上方に向けて連設された側壁部を有する本体と、この本体の上端部にヒンジ部を介して連設された蓋体とを備え、前記本体の上端部周縁にフランジ部分が設けられているとともに、このフランジ部分に係止する係止部分が前記蓋体に設けられているものがある。
【０００３】
【発明が解決しようとする課題】
そして、上記の構成からなる容器では、以下のような問題があった。すなわち、医療現場において医師や看護士が前記容器から綿球やガーゼなどを取り出す場合、片手で本体の側壁部を持ち、もう片方の手で蓋体を開かなければならず、片手がふさがってたりすると綿球やガーゼなどをすぐに取り出せないことから、傷の消毒・手当てなど種々の作業の効率が低下していたのである。
【０００４】
この発明は、上述の事柄に留意してなされたもので、その目的は、蓋体の開閉を容易に行える蓋付き容器を提供することである。
【０００５】
【課題を解決するための手段】
上記目的を達成するために、本発明の蓋付き容器は、底壁部およびこの底壁部の周縁から上方に向けて連設された側壁部を有する本体と、この本体の上端部にヒンジ部を介して連設された蓋体とを備え、前記本体の上端部周縁にフランジ部分が設けられているとともに、このフランジ部分に係止する係止部分が前記蓋体に設けられており、前記本体の側壁部を内側に押さえて弾性変形させることにより、前記フランジ部分に対する係止部分の係止が解除されるように構成してある（請求項１）。
【０００６】
上記の構成からなる本発明によれば、蓋体の開閉を容易に行える蓋付き容器を提供することが可能となる。
【０００７】
すなわち、前記蓋付き容器では、前記本体の側壁部を内側に押さえて弾性変形させることにより、本体のフランジ部分に対する蓋体の係止部分の係止が解除され、蓋体が開いた状態となるように構成してあり、また、蓋体を本体の上端を覆うように押さえるだけで、前記蓋体の係止部分が本体のフランジ部分に係止し、前記蓋体が閉じた状態となるように構成してあるため、蓋体の開閉を何度でもワンタッチで容易に行えるのであり、例えば、蓋体が閉じた状態の蓋付き容器内に収容されている綿球やガーゼなどを片手だけで容易に取り出すことができ、また、その後、蓋体を片手で押さえるだけで容易に閉じることができるのであり、前記綿球やガーゼを用いて行う傷の消毒・手当てなど種々の作業の効率の向上を図ることも可能となる。
【０００８】
また、前記ヒンジ部が前記蓋体を前記本体の上端から上方へと持ち上げる方向に付勢するように構成してあるとしてもよい（請求項２）。
【０００９】
この場合には、蓋体を閉じた状態の蓋付き容器に対して、前記側壁部の前後を持って内側に押し込めるように少し変形させるだけで（側壁部を前後方向に少し縮めるように指で挟むまたは片手で握るだけで）、前記係止部分を係止しているフランジ部分が後退し、フランジ部分に対する係止部分の係止が解除され、その直後、前記ヒンジ部の付勢により、蓋体が上方に持ち上がるのであり、このとき、本体と蓋体との間に、指を容易に本体内へと滑り込ませることができる程度以上の大きさをもった隙間が形成されるように構成することで、例えば、蓋付き容器Ｄ内の綿球やガーゼなどを簡単に取り出すことができるようになり、前記綿球やガーゼを用いて行う傷の消毒・手当てなど種々の作業の効率のさらなる向上を図ることができる。
【００１０】
さらに、前記本体および蓋体がそれぞれ、平面視ほぼ楕円形状をしていて、かつ、前後方向の長さが左右方向の長さよりも長くなるように形成されており、前記係止部分が蓋体の前部に設けられ、前記ヒンジ部が蓋体の後部に連設されているとしてもよい（請求項３）。
【００１１】
この場合には、前記本体を平面視において長軸方向および短軸方向を有する（前後方向に長く形成された）楕円形状としてあり、その長軸方向において前記本体（側壁部）を縮めるように変形させれば、本体のフランジ部分が後退して、本体のフランジ部分に対する蓋体の係止部分の係止が解除されることから、前記本体（側壁部）の平面視をほぼ円形状とした場合に比して、本体の側壁部を縮めたときに後退する前記フランジ部分の距離がより大きくなり、これに伴って、前記係止の解除に必要な本体の側壁部の変形量がより小さくなるのであり、ひいては、本体のフランジ部分に対する蓋体の係止部分の係止を解除するという操作をより容易にかつ確実に行えるのである。
【００１２】
【発明の実施の形態】
以下、本発明の実施の形態を図面に基づいて説明する。
図１（Ａ）および（Ｂ）は、本発明の一実施例に係る蓋付き容器Ｄの閉じた状態および開いた状態の構成を概略的に示す斜視図、図２（Ａ）および（Ｂ）は、前記蓋付き容器Ｄの構成を概略的に示す平面図および側面図である。
蓋付き容器Ｄは、底壁部１およびこの底壁部１の周縁から上方に向けて連設された側壁部２を有する本体３と、この本体３の上端部にヒンジ部４を介して連設された蓋体５とを備えている。
【００１３】
詳しくは、前記蓋付き容器Ｄは、例えばＰＥＴ（ポリエチレンテレフタレート）などの合成樹脂からなり、真空成形または圧空成形によって形成される１部材よりなる。
【００１４】
前記本体３は、平面視ほぼ楕円形状をしていて、かつ、前後方向の長さが左右方向の長さよりも長くなるように（平面視における長軸方向と前後方向とがほぼ一致するように）形成されている。これに伴い、前記底壁部１も、平面視ほぼ楕円形状をしていて、かつ、前後方向の長さが左右方向の長さよりも長くなるように（平面視における長軸方向と前後方向とがほぼ一致するように）形成されている。また、前記本体３（側壁部２）の上端部周縁には、全周にわたってフランジ部分６が設けられている。
【００１５】
また、本体３内に所定量の液体（例えば、エタノールなどの消毒液）を容易に注入することができるように、前記側壁部２の適宜の位置に目盛り２ａを設けてある。この目盛り２ａは、例えば、５ｃｃ間隔あるいは１０ｃｃ間隔など所定量間隔で刻まれている。
【００１６】
さらに、前記側壁部２の前側上部には、内側に凹入する凹入部２ｂが設けられており、この凹入部２ｂ内または凹入部２ｂの近傍には、「ＰＵＳＨ」や「（ここを）押す」などの表示が設けられている。前記凹入部２ｂは、例えば、正面からみて横方向に長い楕円形状を呈するように構成されている。
【００１７】
なお、前記側壁部２は、その下端から上端まで内径および外径がほぼ同一としてあってもよいが、例えば、上端側ほど外側へ広がるような、言い換えれば、上端側ほど内径および外径が大きくなるような傾斜を有していてもよい。
【００１８】
前記ヒンジ部４は、前記本体３のフランジ部分６の後部に連設されている。そして、ヒンジ部４は、前記蓋体５を前記本体３の上端から上方へと持ち上げる方向に付勢するように構成されている。
【００１９】
前記蓋体５は、平面視ほぼ楕円形状をしていて、かつ、前後方向の長さが左右方向の長さよりも長くなるように形成されている。また、蓋体５の後部には前記ヒンジ部４が連設されており、また、蓋体５の周縁には折曲部７が形成されている。この折曲部７は、前側ほど高くなるように構成されており、さらに、折曲部７の前部分の内側には、前記本体３のフランジ部分６に係止する係止部分８が設けられている。
【００２０】
なお、前記蓋体５は、その剛性が本体３に比して大きくなるように形成されている。
【００２１】
また、本実施例では、前記蓋体５を開いた状態としたときに、蓋体５に何も力を加えなければ、蓋体５が本体３に対しておおよそ３０〜６０°（例えば、ほぼ４５°）の角度をもって開いた状態となるように、前記ヒンジ部４を構成している。
【００２２】
上記の構成からなる蓋付き容器Ｄでは、前記本体３の側壁部２を内側に押さえて弾性変形させることにより、本体３のフランジ部分６に対する蓋体５の係止部分８の係止が解除されるように構成してある。
【００２３】
本実施例では、図１（Ａ）に示すように、蓋体５を閉じた状態の蓋付き容器Ｄに対して、前記側壁部２の前後を持って内側に押し込めるように少し変形させるだけで（側壁部２を前後方向に少し縮めるように指で挟むまたは片手で握るだけで）、図３に示すように、前記係止部分８を係止しているフランジ部分６が後退し、これにより、上述したようにフランジ部分６に対する係止部分８の係止が解除され、その直後、前記ヒンジ部４の付勢により、蓋体５が上方に持ち上がり、本体３と蓋体５との間に、指を容易に本体３内へと滑り込ませることができる程度以上の大きさをもった隙間が形成されることとなる。
【００２４】
そして、本実施例の蓋付き容器Ｄでは、前記本体３を平面視において長軸方向および短軸方向を有する（前後方向に長く形成された）楕円形状としてあり、その長軸方向において前記本体３（側壁部２）を縮めるように変形させれば、本体３のフランジ部分６が後退して、本体３のフランジ部分６に対する蓋体５の係止部分８の係止が解除されるように構成してあることから、前記本体３（側壁部２）の平面視をほぼ円形状とした場合に比して、本体３の側壁部２を縮めたときに後退する前記フランジ部分６の距離をより大きくすることができ、これに伴って、前記係止の解除に必要な本体３の側壁部２の変形量をより小さくすることができるのであり、ひいては、本体３のフランジ部分６に対する蓋体５の係止部分８の係止を解除するという操作をより容易にかつ確実に行えるのである。
【００２５】
また、蓋体５を閉じた状態とするには、蓋体５を本体３の上端を覆うように押さえるだけでよく、これにより、前記蓋体５の係止部分８が本体３のフランジ部分６に係止し、前記蓋体５が閉じた状態となるのである。
【００２６】
すなわち、前記蓋付き容器Ｄでは、蓋体５の開閉を何度でもワンタッチで容易に行えるのであり、例えば、蓋体５が閉じた状態の蓋付き容器Ｄ内に収容されている綿球やガーゼなどを片手だけで容易に取り出すことができ、また、その後、蓋体５を片手で押さえるだけで容易に閉じることができるのであり、前記綿球やガーゼを用いて行う傷の消毒・手当てなど種々の作業の効率の向上を図ることも可能となる。
【００２７】
また、本実施例では、前記本体３の側壁部２を内側に押さえて弾性変形させるという作業を、使用者が片手だけを用いて行う場合、前記側壁部２の前側に親指を当てるとともに、他の指（人指し指〜小指）を側壁部２の後側に当て、本体３を握るようにして行うことで前記作業をより簡単に行えるのであり、前記蓋付き容器Ｄに前記凹入部２ｂを設けてあることから、前記作業を上記のようにして行うということを使用者に自然かつ確実に促すことが可能となる。
【００２８】
なお、本実施例において、前記蓋体５のフランジ部分７の内側に、例えば両面テープ（図示せず）を貼着したり、接着剤を塗布するなどして、適宜の接着力を持った接着部分を形成し、蓋体５の開閉をワンタッチで行える範囲で、より確実に蓋体５を閉じた状態で保持できるように調整してもよい。
【００２９】
また、本実施例において、前記本体３および蓋体５はそれぞれ、平面視ほぼ楕円形状をしていて、かつ、前後方向の長さが左右方向の長さよりも長くなるように形成されているものに限られず、例えば、前記本体３および蓋体５をそれぞれ、平面視ほぼ楕円形状をしていて、かつ、前後方向の長さが左右方向の長さよりも短くなるように形成してもよく、この場合には、前記蓋体５に設ける係止部分８を、蓋体５の折曲部７の前部ではなく左右部のいずれか一方または両方に設けることが望ましく、前記凹入部２ｂも、側壁部２の前側ではなく左右側のいずれか一方または両方に設けることが望ましい。
【００３０】
さらに、本実施例において、図４に示すように、前記蓋体５の中央部に、上方に突出する突出部分５ａを設けてもよい。前記突出部分５ａは、例えば、平面視ほぼ矩形状で、かつ側面視がほぼ台形状に形成されている。前記突出部分５ａを設けた場合には、開いた状態の蓋体５を閉めるときに前記突出部分５ａを利用することで片手で閉める作業をより簡単に行うことが可能となる。
【００３１】
また、前記突出部分５ａを設ける場合、前記突出部分５ａと同様の構成からなり、突出部分５ａとほぼ同じ大きさかそれ以上の大きさを有する凹入部分１ａを底壁部１の中央部に設けることにより、複数の蓋付き容器Ｄ，Ｄ…を問題なく段積みすることが可能となる。
【００３２】
また、本実施例において、図４に示すように、前記ヒンジ部４内に、弾性体４ａを収容してもよい。この弾性体４ａは、例えば、弾性を有するゴム管などからなる。すなわち、前記蓋付き容器Ｄの形成に用いた材料等によっては、長期間、蓋体５を閉じた状態で蓋付き容器Ｄを放置しておくと、前記ヒンジ部４が有する復元性（弾性）が低下し、蓋体５を開いたときの開き具合が悪くなるおそれがあるが、上記のように弾性体４ａをヒンジ部４内に収容すれば、ヒンジ部４自体の復元性（弾性）が低下しても弾性体４ａが有する弾性によって、開いたときの蓋体５が所望の程度開くこととなるのである。
【００３３】
【発明の効果】
上記の構成により、蓋体５の開閉を容易に行える蓋付き容器Ｄを提供することができる。
【００３４】
すなわち、前記蓋付き容器Ｄでは、前記本体３の側壁部２を内側に押さえて弾性変形させることにより、本体３のフランジ部分６に対する蓋体５の係止部分８の係止が解除され、蓋体５が開いた状態となるように構成してあり、また、蓋体５を本体３の上端を覆うように押さえるだけで、前記蓋体５の係止部分８が本体３のフランジ部分６に係止し、前記蓋体５が閉じた状態となるように構成してあるため、蓋体５の開閉を何度でもワンタッチで容易に行えるのであり、例えば、蓋体５が閉じた状態の蓋付き容器Ｄ内に収容されている綿球やガーゼなどを片手だけで容易に取り出すことができ、また、その後、蓋体５を片手で押さえるだけで容易に閉じることができるのであり、前記綿球やガーゼを用いて行う傷の消毒・手当てなど種々の作業の効率の向上を図ることも可能となる。
【００３５】
また、前記蓋付き容器Ｄでは、蓋体５を閉じた状態の蓋付き容器Ｄに対して、前記側壁部２の前後を持って内側に押し込めるように少し変形させるだけで（側壁部２を前後方向に少し縮めるように指で挟むまたは片手で握るだけで）、前記係止部分８を係止しているフランジ部分６が後退し、フランジ部分６に対する係止部分８の係止が解除され、その直後、前記ヒンジ部４の付勢により、蓋体５が上方に持ち上がるのであり、このとき、本体３と蓋体５との間に、指を容易に本体３内へと滑り込ませることができる程度以上の大きさをもった隙間が形成されるように構成することで、例えば、蓋付き容器Ｄ内の綿球やガーゼなどを簡単に取り出すことができるようになり、前記綿球やガーゼを用いて行う傷の消毒・手当てなど種々の作業の効率のさらなる向上を図ることができる。
【００３６】
さらに、前記本体３を平面視において長軸方向および短軸方向を有する（前後方向に長く形成された）楕円形状としてあり、その長軸方向において前記本体３（側壁部２）を縮めるように変形させれば、本体３のフランジ部分６が後退して、本体３のフランジ部分６に対する蓋体５の係止部分８の係止が解除されることから、前記本体３（側壁部２）の平面視をほぼ円形状とした場合に比して、本体３の側壁部２を縮めたときに後退する前記フランジ部分６の距離がより大きくなり、これに伴って、前記係止の解除に必要な本体３の側壁部２の変形量がより小さくなるのであり、ひいては、本体３のフランジ部分６に対する蓋体５の係止部分８の係止を解除するという操作をより容易にかつ確実に行えるのである。
【図面の簡単な説明】
【図１】（Ａ）および（Ｂ）は、本発明の一実施例に係る蓋付き容器の閉じた状態および開いた状態の構成を概略的に示す斜視図である。
【図２】（Ａ）および（Ｂ）は、上記実施例の構成を概略的に示す平面図および側面図である。
【図３】上記実施例の要部の動作を概略的に示す説明図である。
【図４】前記蓋付き容器の変形例の構成を概略的に示す側面図である。
【符号の説明】
１…底壁部、２…側壁部、３…本体、４…ヒンジ部、５…蓋体、６…フランジ部分、８…係止部分、Ｄ…蓋付き容器。
【図１】
2004276960.tif 000003
【図２】
2004276960.tif 000004
【図３】
2004276960.tif 000005
【図４】
2004276960.tif 000006